(57)【要約】【課題】連結穴に連結されるワイヤーを安定良く保持する車両部品用クリップを提供する。【解決手段】車両部品用クリップ１であって、溝２ｅを備えるクリップ本体２と、ワイヤー本体１５ａから屈曲して延出するワイヤー端部が挿入されかつワイヤー端部とともに連結穴１３ａに挿入される筒部３と、クリップ本体２に屈曲可能に連結される蓋４と、蓋４によって溝２ｅ内に設置されたワイヤー本体１５ａを覆う閉じ位置において蓋４の先端部４ｃをクリップ本体２に保持する保持機構５を有する。保持機構５は、蓋４から延出し一対の爪５ｅ，５ｆを有する爪片５ｃと、クリップ本体２に設けられる一対の係止片５ａ，５ｂを有する。爪５ｅと係止片５ａの一組は、蓋４をクリップ本体２に対して閉じ位置から開き位置に移動させることで食い込む構成である。他の組の爪５ｆと係止片５ｂは、一組よりも食い込み量が少ない。【選択図】図７
2010060091.tif 000002
【特許請求の範囲】
【請求項１】
連結穴を有する部品と、その連結穴に連結されるワイヤーとの間に設けられる車両部品用クリップであって、
前記ワイヤーのワイヤー本体が設置される溝を備えるクリップ本体と、前記ワイヤー本体から屈曲して延出するワイヤー端部が挿入されかつ前記ワイヤー端部とともに前記連結穴に挿入される筒部と、前記クリップ本体に屈曲可能に連結される蓋と、前記蓋によって前記溝内に設置された前記ワイヤー本体を覆う閉じ位置において前記蓋の先端部を前記クリップ本体に保持する保持機構とを有し、
前記保持機構は、前記クリップ本体と前記蓋の両部の一方から延出しかつ一対の爪を有する爪片と、前記両部の他方に設けられかつ前記爪が係止される一対の係止片を有し、
前記爪と前記係止片の一組は、前記蓋を前記クリップ本体に対して前記閉じ位置から前記溝を開放する開き位置に移動させることで食い込む構成であり、
他の組の前記爪と前記係止片は、前記一組よりも食い込み量が少ない、もしくは食い込まない構成になっていることを特徴とする車両部品用クリップ。
【請求項２】
請求項１に記載の車両部品用クリップであって、
一組の爪と係止片は、他の組の爪と係止片よりも食い込む角度が大きく、かつ食い込む長さが長いことを特徴とする車両部品用クリップ。
【請求項３】
請求項１または２に記載の車両部品用クリップであって、
蓋は、溝を幅方向に跨ぎ、
蓋の先端部と保持機構が、前記溝の幅方向隣接位置に位置することを特徴とする車両部品用クリップ。
【請求項４】
請求項１〜３のいずれかに記載の車両部品用クリップであって、
クリップ本体には、閉じ位置に保持された蓋の先端に対向して前記先端を覆う覆い部が立設されることを特徴とする車両部品用クリップ。
【請求項５】
請求項１〜４のいずれかに記載の車両部品用クリップであって、
一組の爪と係止片は、該一組よりも食い込み量の少ない他の組の爪と係止片よりも蓋の先端側に位置することを特徴とする車両部品用クリップ。
【発明の詳細な説明】
【技術分野】
【０００１】
本発明は、車両の内装部品等に使用されるクリップに関する。
【背景技術】
【０００２】
車両は、内装部品として、例えば天井パネルとアシストグリップを有しており、アシストグリップは、樹脂製のクリップによって天井パネルに取付けられる（特許文献１参照）。このクリップは、天井パネルに形成された連結穴に差し込まれて天井パネルに装着される装着部と、アシストグリップを保持する保持部を一体に有している。従来、図１３に示すように連結穴２３ａを有する部品２３にワイヤー２４を連結するクリップ２２も知られている。ワイヤー２４は、ワイヤー本体２４ａとワイヤー本体２４ａから屈曲して延出するワイヤー端部２４ｂを有している。クリップ２２は、クリップ本体２２ａと筒部２２ｂを有しており、筒部２２ｂにワイヤー端部２４ｂが挿入され、筒部２２ｂが連結穴２３ａに挿入される。クリップ本体２２ａには、片持ち状に延出する保持爪２２ｃが設けられており、保持爪２２ｃがクリップ本体２２ａと協働してワイヤー本体２４ａを保持する。
【特許文献１】特開２００７−２７８３７５号公報
【発明の開示】
【発明が解決しようとする課題】
【０００３】
しかしワイヤー２４は、一般に力を伝達する部材として使用される。そのためワイヤー２４が大きな力を受ける場合があり、その場合、ワイヤー２４を介して保持爪２２ｃが弾性変形し、ワイヤー２４がクリップ２２から外れるおそれがある。そこで本発明は、連結穴に連結されるワイヤーを安定良く保持できる車両部品用クリップを提供することを課題とする。
【課題を解決するための手段】
【０００４】
前記課題を解決するために本発明は、各請求項に記載の通りの構成を備える車両部品用クリップであることを特徴とする。すなわち請求項１に記載の発明によると、連結穴を有する部品と、その連結穴に連結されるワイヤーとの間に設けられる車両部品用クリップであって、ワイヤーのワイヤー本体が設置される溝を備えるクリップ本体と、ワイヤー本体から屈曲して延出するワイヤー端部が挿入されかつワイヤー端部とともに連結穴に挿入される筒部と、クリップ本体に屈曲可能に連結される蓋と、蓋によって溝内に設置されたワイヤー本体を覆う閉じ位置において蓋の先端部をクリップ本体に保持する保持機構とを有している。保持機構は、クリップ本体と蓋の両部の一方から延出しかつ一対の爪を有する爪片と、両部の他方に設けられかつ爪が係止される一対の係止片を有している。爪と係止片の一組は、蓋をクリップ本体に対して閉じ位置から溝を開放する開き位置に移動させることで食い込む構成である。一方、他の組の爪と係止片は、前記一組よりも食い込み量が少ない、もしくは食い込まない構成になっている。
【０００５】
したがってワイヤー本体は、クリップ本体の溝に設置され、蓋によって覆われる。そして蓋は、一端部がクリップ本体に折曲可能に設けられ、先端部が保持機構によって保持され、両持ち梁状でクリップ本体に支持される。そのため蓋は、ワイヤー本体を安定良く保持できる。また保持機構は、爪と係止片を二組有している。そして少なくとも一組は、蓋を開き位置へ移動させることで食い込む構成である。そのため蓋が確実に閉じ位置に保持される。また他の組の爪と係止片は、前記一組よりも食い込み量が少ない、もしくは食い込まない構成になっている。そのため成形時における爪等の成形誤差を他の組によって吸収することができる。これにより少なくとも一組の爪と係止片が確実に係止し得る。
【０００６】
請求項２に記載の発明によると、一組の爪と係止片は、他の組の爪と係止片よりも食い込む角度が大きく、かつ食い込む長さが長い。したがって一組は、他の組に比べて食い込み量が大きくなる。
【０００７】
請求項３に記載の発明によると、蓋は、溝を幅方向に跨ぐ。そして蓋の先端部と保持機構が、溝の幅方向隣接位置に位置する。したがって保持機構は、溝の深さ方向ではなく、幅方向の隣接位置に設けられる。そのためクリップは、溝の深さ方向の高さを高くすることのできない場合等に有効な構成になっている。しかも蓋は、溝を跨ぐため、保持機構が溝の深さ方向に設けられる場合に比べて長くなる。そして蓋の先端部が保持機構によって保持されるため、蓋は、梃子の原理によって安定良くクリップ本体に保持され得る。
【０００８】
請求項４に記載の発明によると、クリップ本体には、閉じ位置に保持された蓋の先端に対向して先端を覆う覆い部が立設される。したがって覆い部によって蓋とクリップ本体の隙間を隠すことができる。そのためその隙間に物が挿入され、蓋が不意に開けられることが覆い部によって防止され得る。
【０００９】
請求項５に記載の発明によると、一組の爪と係止片は、該一組よりも食い込み量の少ない他の組の爪と係止片よりも蓋の先端側に位置している。したがって保持機構は、蓋の先端に近い側において食い込み量が多いため、逆の場合に比べて、梃子の原理によって安定良く蓋を保持することができる。
【発明を実施するための最良の形態】
【００１０】
本発明の実施の形態を図１〜１２にしたがって説明する。図１に示すようにシート１０は、車両に搭載される車両用シート（車両部品）である。シート１０は、シートクッション１１とシートバック１２を有している。シートクッション１１とシートバック１２は、フレーム１１ａ，１２ａと、フレーム１１ａ，１２ａに装着される図示省略のパッドを有している。フレーム１１ａ，１２ａの間には、これらを角度調整可能に連結するリクライニング装置１９が設けられている。
【００１１】
シートクッション１１のフレーム１１ａは、図１に示すように左右一対のサイドフレーム１１ｂと、サイドフレーム１１ｂの後側上部間を連結する補強ロッド１１ｃを有している。サイドフレーム１１ｂは、板状であって、シートクッション１１の側壁部を構成し、下端部がスライド装置１７に取付けられる。サイドフレーム１１ｂの一つは、車体中央側に配され、他の一つは、車体外側に配される。車体中央側のサイドフレーム１１ｂには、後側下部にアンカ２０が取付けられ、アンカ２０にシートベルト２１が装着される。
【００１２】
スライド装置１７は図１，４に示すようにフロアに取付けられるロアレール１７ａと、ロアレール１７ａにスライド可能に組付けられるアッパレール１７ｂと、これらをロックするロック装置１７ｃを有している。ロック装置１７ｃは、ロック部材１４と、ロック部材１４をロック方向に付勢する図示省略のばねを有している。
【００１３】
ロック部材１４は、図４に示すように傾動ピン１４ｃによってアッパレール１７ｂに傾動可能に取付けられる。傾動ピン１４ｃは、前後方向に延出し、ロック部材１４は、左右方向に傾動する。ロック部材１４の下端部には、複数のロック爪１４ａが形成されている。ロアレール１７ａとアッパレール１７ｂには、孔１７ａ１，１７ｂ１がスライド方向に複数並設されている。ロック部材１４は、ばねの付勢力によって傾動して、ロック爪１４ａが孔１７ｂ１と所望の孔１７ａ１に突入する。これによりアッパレール１７ｂがロアレール１７ａに対してロックされる。ロック部材１４は、上部にワイヤー１５の一端部が係止される係止部１４ｂが設けられている。
【００１４】
図１，２に示すように左右のサイドフレーム１１ｂの間には、左右のロック装置１７ｃを同期して解除する解除機構が設けられている。解除機構は、ロッド１８と一対のリンク１３と一対のワイヤー１５を有している。ロッド１８は、左右のサイドフレーム１１ｂの前上部間に軸回転可能に取付けられる。サイドフレーム１１ｂを貫通したロッド１８の一端部には、操作レバー１６が回動不能に取付けられる。リンク１３は、ロッド１８の両端部に回動不能に取付けられ、サイドフレーム１１ｂよりもシート内側に配設される。ワイヤー１５は、リンク１３の後端部とロック部材１４の間に設けられる。
【００１５】
したがって操作レバー１６の前部を上方に引くことで、ロッド１８が軸回転し、左右のリンク１３が傾動する。そしてリンク１３がワイヤー１５を押し、ワイヤー１５がロック部材１４を傾動させる。かくして左右のロック装置１７ｃが同期してロック解除される。そして力を伝達する車両部品構成体は、サイドフレーム（本体部品）１１ｂと、サイドフレーム１１ｂに傾動可能に設けられたリンク（第一の部品）１３と、ロック部材（第二の部品）１４と、ワイヤー１５を主体に構成される。
【００１６】
リンク１３は、図２に示すように一端部にストッパ爪１３ｂを有している。ストッパ爪１３ｂは、サイドフレーム１１ｂに形成されたガイド溝１１ｄに挿入される。したがってリンク１３は、ガイド溝１１ｄとストッパ爪１３ｂによって傾動量が規制される。リンク１３の他端部には、リンク１３を厚み方向に貫通する連結穴１３ａが形成されている。
【００１７】
連結穴１３ａは、図２，３に示すように長穴であって、ロッド１８を中心に円弧状に延出し、かつ上下方向に延出している。連結穴１３ａには、クリップ１を介してワイヤー１５が連結される。ワイヤー１５は、金属棒から構成されており、ワイヤー本体１５ａとワイヤー端部１５ｂ，１５ｃを有している。ワイヤー本体１５ａは、リンク１３とロック部材１４の間において上下に延設される。ワイヤー端部１５ｂ，１５ｃは、ワイヤー本体１５ａの上下端部から屈曲して延出している。上側のワイヤー端部１５ｂは、ワイヤー本体１５ａに対して略９０°に屈折しており、クリップ１とともにリンク１３の連結穴１３ａに係止される。下側のワイヤー端部１５ｃは、ロック部材１４に係止される。
【００１８】
連結穴１３ａは、上部に逃がし部１３ａ１を有している。逃がし部１３ａ１は、ロック装置１７ｃがロックした状態においてワイヤー端部１５ｂの上方を開口する。そのため車両が衝突してサイドフレーム１１ｂが乗員の重量等によって下方に潰れた場合、ロッド１８とリンク１３が下方に移動するが、ワイヤー端部１５ｂが逃がし部１３ａ１に移動するためワイヤー１５がリンク１３に連動しない。また連結穴１３ａは、リンク１３の傾動方向に長い。そのため製造や組付けによるバラ付きが連結穴１３ａによって吸収され得る。
【００１９】
車両中央側に配されたリンク１３は、図３に示すように車両外側に配されたリンク１３に比べて連結穴１３ａが下方に長くなっており、下部に遊び部１３ａ２を有している。遊び部１３ａ２は、ロック装置１７ｃがロックした状態にてワイヤー端部１５ｂの下方を開口して、ワイヤー端部１５ｂが連結穴１３ａに対して下方に移動することを許容する。したがって車両が衝突し、シートベルト２１が強く引っ張られてシート１０が捩れた場合、ワイヤー端部１５ｂが遊び部１３ａ２側に移動し得る。その結果、ロック装置１７ｃが不意に解除されることが防止され得る。
【００２０】
クリップ１は、樹脂製であって、図５に示すようにクリップ本体２と、筒状の筒部３と、蓋４を一体に有している。筒部３は、クリップ本体２の一側面の一端部に立設されている。筒部３とクリップ本体２には、これらを貫通する貫通孔１ａが形成されている。貫通孔１ａには、ワイヤー１５のワイヤー端部１５ｂが挿入される。筒部３は、貫通孔１ａを有する円筒状の筒軸部３ａと、筒軸部３ａから径方向に突出する一対の抜止爪３ｂを有している。
【００２１】
図８〜１０に示すように筒部３は、断面非円形であって短手径と長手径を有している。短手径は、リンク１３の連結穴１３ａの短手長さよりも小さい。長手径は、抜止爪３ｂを有しており、連結穴１３ａの短手長さよりも大きい。したがって筒部３は、長手径が連結穴１３ａの長手方向（延出方向）に配列された状態で、弾性変形されることなく、連結穴１３ａに挿入される。そしてクリップ１をワイヤー１５とともにリンク１３に対して回転させ、一対の抜止爪３ｂを連結穴の短手長さ方向に配列させる。これにより抜止爪３ｂとクリップ本体２の間に形成された筒部３の首部３ｃにリンク１３が入り込み、抜止爪３ｂがリンク１３に引っ掛かり、筒部３がリンク１３から抜止される。
【００２２】
クリップ本体２は、図５〜７に示すように一端部に貫通孔１ａを有する板状の板部２ａと、板部２ａの他端部に立設された立設部２ｂ〜２ｄを有している。板部２ａは、強度アップのために貫通孔１ａから立設部２ｂ〜２ｄ側に向けて除々に幅が広くなる形状であり、外周縁にリブ２ｈを有している。立設部２ｂ〜２ｄは、並設されており、立設部２ｃ，２ｄと板部２ａの間には、ワイヤー本体１５ａが設置される溝２ｅが形成される。
【００２３】
蓋４は、図５〜７に示すように立設部２ｄの先端部に折曲可能に連結される折曲部４ｂと、折曲部４ｂから延出する蓋本体４ａを有している。折曲部４ｂの厚さは、折曲容易のために立設部２ｄと蓋本体４ａの厚みよりも薄い。蓋本体４ａは、溝２ｅの上方を開口する開き位置（図６の位置）と、折曲部４ｂを曲げることで溝２ｅを覆う閉じ位置（図７の位置）との間で傾動し、閉じ位置において溝２ｅに設置されたワイヤー本体１５ａを覆う。蓋４は、立設部２ｂ，２ｃに跨って延出する先端部４ｃを有している。先端部４ｃとクリップ本体２の間には、蓋４を閉じ位置において保持する保持機構５が設けられている。
【００２４】
保持機構５は、図５〜７に示すように蓋４側に形成された爪片５ｃと、クリップ本体２側に形成された一対の係止片５ａ，５ｂを有している。爪片５ｃは、蓋４の先端部４ｃから突出する爪軸部５ｄと、爪軸部５ｄの先端部に形成された一対の爪５ｅ，５ｆを有している。爪片５ｃは、蓋４を閉じ位置にすることで、溝２ｅの幅方向隣接に位置する立設部２ｂ，２ｃ間に入り込む。
【００２５】
図７に示すように爪片５ｃの爪５ｅ，５ｆは、立設部２ｂ，２ｃに向けて突出している。立設部２ｂ，２ｃに形成された係止片５ａ，５ｂは、爪５ｅ，５ｆに向けて突出している。爪５ｅ，５ｆは、係止片５ａ，５ｂに係止した状態で係止片５ａ，５ｂに対向する爪傾斜面５ｅ１，５ｆ１を有している。爪傾斜面５ｅ１，５ｆ１は、係止片５ａ，５ｂに向けて突出しつつ閉じ位置から開き位置に向けて傾斜する傾斜角度を有している。係止片５ａ，５ｂは、対向する爪傾斜面５ｅ１，５ｆ１と略同じ傾斜角度を有する係止片傾斜面５ａ１，５ｂ１を有している。したがって蓋４を閉じ位置から開き位置に傾動させると、爪５ｅ，５ｆと係止片５ａ，５ｂが互いに食い込む（入り込む）。
【００２６】
図７に示すように第一組の爪５ｅと係止片５ａは、爪軸部５ｄよりも蓋４の先端側（外側）に位置している。一方、第二組の爪５ｆと係止片５ｂは、爪軸部５ｄよりも蓋４の基端側（内側）に位置している。第一組の爪傾斜面５ｅ１と係止片傾斜面５ａ１は、第二組側の爪傾斜面５ｆ１と係止片傾斜面５ｂ１よりも傾斜角度が大きく、食い込む角度が大きい。また第一組の爪５ｅと係止片５ａは、第二組の爪５ｆと係止片５ｂよりも突出長さが長い。そのため第一組が第二組よりも食い込む長さが長く、食い込み量が大きい。
【００２７】
図５〜７に示すように立設部２ｂの先端部には、覆い部２ｇが形成されている。覆い部２ｇは、蓋４が閉じ位置に保持された状態において蓋４の先端に対向して、その先端を覆う。したがって覆い部２ｇによって蓋４とクリップ本体２の隙間を隠すことができる。そのためその隙間に物が挿入され、蓋４が不意に開けられることが覆い部２ｇによって防止され得る。
【００２８】
図７，１１に示すように蓋本体４ａは、ワイヤー本体１５ａに対向する面にワイヤー本体１５ａに向けて突出する突部６を有している。突部６は、ワイヤー本体１５ａの径中心に対応する蓋本体４ａの一領域で、かつ蓋本体４ａのワイヤー本体１５ａの長さ方向全長に渡って形成されている。突部６のワイヤー１５側への突出量は、ワイヤー端部１５ｂ側で大きく、ワイヤー端部１５ｂから遠くなるほど小さい。突部６は、ワイヤー本体１５ａに対して斜めに対向する傾斜面６ｃを有している。傾斜面６ｃは、平面状であって溝２ｅの底部２ｅ１に対して略直線的に傾斜する。
【００２９】
蓋本体４ａと溝２ｅの底部２ｅ１の間には、図１１，１２に示すようにワイヤー本体１５ａとの間にワイヤー本体１５ａの傾動を許容する隙間（クリアランス）２ｆが形成されている。隙間２ｆは、突部６によって、ワイヤー端部１５ｂ側において小さく、ワイヤー端部１５ｂから遠いほど大きい。したがってワイヤー本体１５ａは、突部６の近傍を中心に、溝２ｅの底部２ｅ１に沿う位置と、突部６の傾斜角度に沿う位置の間で傾動できる。
【００３０】
したがってワイヤー１５は、力伝達の際にクリップ１によって邪魔され難く、力のロスが少ない。すなわちワイヤー１５は、ロック装置１７ｃがロック状態の時、クリップ１の溝２ｅに沿う位置になる。そしてロック装置１７ｃをロック解除する際、ワイヤー１５は、リンク１３に押されてワイヤー本体１５ａの延出方向（上下方向）に移動する。そしてワイヤー１５の下端部がロック部材１４とともに左右方向（図１１の矢印Ｘ方向）に移動する。その結果、ワイヤー１５がワイヤー端部１５ｂの近傍を中心に傾動し、クリップ１の溝２ｅに沿う位置になる。
【００３１】
これに対してクリップ１は、ワイヤー本体１５ａとの間に隙間２ｆを有している。そのためクリップ１は、力伝達の際に三次元的に動くワイヤー本体１５ａの動きを邪魔しない。またクリップ１は、突部６を有している。そのためワイヤー１５は、突部６によってワイヤー端部１５ｂ側がＸ方向（左右方向）に移動することが規制される。これによりワイヤー端部１５ｂがクリップ１の筒部３から抜けることが防止される。
【００３２】
溝２ｅの幅は、図７に示すようにワイヤー本体１５ａの径よりも大きい。したがってワイヤー本体１５ａを溝２ｅに設置しても立設部２ｄが倒れない。そのため立設部２ｄが図７の下方側に倒れることで、蓋４が下方に引っ張られ、第一組の爪５ｅと係止片５ａが外れることが防止され得る。
【００３３】
以上のようにクリップ１は、図５に示すようにクリップ本体２と筒部３と蓋４と保持機構５を有している。保持機構５は、蓋４から延出しかつ一対の爪５ｅ，５ｆを有する爪片５ｃと、クリップ本体２に設けられかつ爪５ｅ，５ｆが係止される一対の係止片５ａ，５ｂを有している。爪５ｅと係止片５ａの一組は、蓋４を閉じ位置から開き位置へ移動させることで食い込む構成である。他の組の爪５ｆと係止片５ｂは、前記一組よりも食い込み量が少ない。
【００３４】
したがってワイヤー本体１５ａは、クリップ本体２の溝２ｅに設置され、蓋４によって覆われる。そして蓋４は、一端部がクリップ本体２に折曲可能に設けられ、先端部４ｃが保持機構５によって保持され、両持ち梁状でクリップ本体２に支持される。そのため蓋４は、ワイヤー本体１５ａを安定良く保持できる。また保持機構５は、爪５ｅ，５ｆと係止片５ａ，５ｂを二組有している。そして少なくとも一組は、蓋４を開き位置へ移動させることで食い込む構成である。そのため蓋４が確実に閉じ位置に保持される。また他の組の爪５ｆと係止片５ｂは、前記一組よりも食い込み量が少ない。そのため成形時における爪５ｅ，５ｆ等の成形誤差を他の組によって吸収することができる。これにより少なくとも一組の爪５ｅと係止片５ａが確実に係止し得る。
【００３５】
また図７に示すように一組の爪５ｅと係止片５ａは、他の組の爪５ｆと係止片５ｂよりも食い込む角度が大きく、かつ食い込む長さが長い。したがって一組は、他の組に比べて食い込み量が大きくなる。
【００３６】
また蓋４は、図５に示すように溝２ｅを幅方向に跨ぐ。そして蓋４の先端部４ｃと保持機構５は、溝２ｅの幅方向隣接位置に位置する。したがって保持機構５は、溝２ｅの深さ方向ではなく、幅方向の隣接位置に設けられる。そのためクリップ１は、溝２ｅの深さ方向の高さ高くすることができない場合等に有効な構成になっている。しかも蓋４は、溝２ｅを跨ぐため、保持機構が溝の深さ方向に上方に設けられる場合に比べて長くなる。そして蓋４の先端部４ｃが保持機構５によって保持されるため、蓋４は、梃子の原理によって安定良くクリップ本体２に保持され得る。
【００３７】
また図７に示すように一組の爪５ｅと係止片５ａは、該一組よりも食い込み量の少ない他の組の爪５ｆと係止片５ｂよりも蓋４の先端側に位置している。したがって保持機構５は、蓋４の先端に近い側において食い込み量が多いため、逆の場合に比べて、梃子の原理によって安定良く蓋４を保持することができる。
【００３８】
（他の実施の形態）
本発明は、上記実施の形態に限定されず、以下の形態等であっても良い。
（１）上記実施の形態の保持機構５は、蓋４の先端側に位置する第一組の爪５ｅと係止片５ａが第二組の爪５ｆと係止片５ｂよりも食い込み量が多い形態である。しかし第二組が第一組よりも食い込み量が多い形態であっても良い。
（２）上記実施の形態の保持機構５は、第一組の爪５ｅと係止片５ａの突出量が第二組の爪５ｆと係止片５ｂの突出量よりも多い形態である。しかし第一組と第二組の突出量がほぼ同じ形態であっても良い。
（３）上記実施の形態の保持機構５は、溝２ｅの幅方向隣接位置に位置している。しかし保持機構が溝２ｅの底部２ｅ１に対向する上方側に位置する形態であっても良い。
（４）上記実施の形態のクリップ１は、リンク１３に抜止される一対の抜止爪３ｂを有している。しかしクリップ１が抜止爪３ｂを有しておらず、筒部３によってリンク１３とワイヤー１５の金属同士の接触を防止し、これによって異音の発生を防止し得る形態であっても良い。
（５）上記実施の形態の保持機構５は、第二組の爪５ｆと係止片５ｂが食い込む構成である。しかし第二組の爪５ｆと係止片５ｂが食い込まない構成、すなわち爪５ｆと係止片５ｂの対向する面が蓋４の傾動方向に対して略直交する平面である形態であっても良い。
（６）上記実施の形態のワイヤー端部１５ｂは、ワイヤー本体１５ａに対して略９０°に屈折している。しかし他の角度で屈折していても良いし、Ｕ字状など円弧状に曲がっている形態であっても良い。
（７）上記実施の形態のワイヤー１５は、第一の部品（リンク１３）から力を受けて第二の部品（ロック部材１４）を押すプッシュワイヤーである。しかしワイヤーが第一の部品から力を受けて第二の部品を引っ張るプルワイヤーであっても良い。
（８）上記実施の形態の保持機構５は、蓋４側に形成された一対の爪５ｅ，５ｆと、クリップ本体２側に形成された一対の係止片５ａ，５ｂを有している。しかし保持機構がクリップ本体側に形成された一対の爪と、蓋側に形成された一対の係止片を有している形態であっても良い。
（９）上記実施の形態のクリップ１は、車両部品構成体であるリンク１３とワイヤー１５の間に設けられている。しかしクリップが他の車両部品構成体に設けられる形態であっても良い。
【図面の簡単な説明】
【００３９】
【図１】車両用シートのフレーム構造の斜視図である。
【図２】図１の一部拡大図である。
【図３】ワイヤーの一部とリンクの斜視図である。
【図４】図２のIV―IV線断面矢視図である。
【図５】ワイヤーの一部とクリップの斜視図である。
【図６】蓋が開き位置にある場合のクリップの上面図である。
【図７】蓋が閉じ位置にある場合のクリップの上面図である。
【図８】クリップをリンクに取付ける様子を示すクリップの一部断面とリンクの左面図である。
【図９】クリップをリンクに取付けた状態を示すクリップの一部断面とリンクの左面図である。
【図１０】図９のＸ―Ｘ線断面矢視図である。
【図１１】図９のＸＩ―ＸＩ線断面矢視図である。
【図１２】蓋が開き位置における図１１に相当する図である。
【図１３】従来のクリップの斜視図である。
【符号の説明】
【００４０】
１…クリップ
２…クリップ本体
２ａ…板部
２ｂ，２ｃ，２ｄ…立設部
２ｅ…溝
２ｆ…隙間
２ｇ…覆い部
３…筒部
３ａ…筒軸部
３ｂ…抜止爪
４…蓋
４ａ…蓋本体
４ｂ…折曲部
４ｃ…先端部
５…保持機構
５ａ，５ｂ…係止片
５ｃ…爪片
５ｅ，５ｆ…爪
６…突部
６ｃ…傾斜面
１０…シート
１１ｂ…サイドフレーム（本体部品）
１３…リンク（第一の部品）
１３ａ…連結穴
１４…ロック部材（第二の部品）
１５…ワイヤー
１５ａ…ワイヤー本体
１５ｂ，１５ｃ…ワイヤー端部
【図１】
2010060091.tif 000003
【図２】
2010060091.tif 000004
【図３】
2010060091.tif 000005
【図４】
2010060091.tif 000006
【図５】
2010060091.tif 000007
【図６】
2010060091.tif 000008
【図７】
2010060091.tif 000009
【図８】
2010060091.tif 000010
【図９】
2010060091.tif 000011
【図１０】
2010060091.tif 000012
【図１１】
2010060091.tif 000013
【図１２】
2010060091.tif 000014
【図１３】
2010060091.tif 000015